(57)【要約】【課題】  ブラシ毛の長さを長くすることなく、より高い睫毛のボリュームアップ効果が得られ、また、睫毛へのマスカラ液の付着ムラが起きにくいマスカラブラシを提供すること。【解決手段】  芯部材に放射状にブラシ毛を取り付けることにより形成されたブラシ部分を軸部に保持せしめたマスカラブラシであって、前記ブラシ部分に、横断面が大略Ｖ字形で、そのＶ字形の角度が２０〜８０゜であり、かつ軸方向に連続する溝状の切り欠きを少なくとも１つ設けたことを特徴とするマスカラブラシ。【選択図】  図２
2006061483.tif 000002
【特許請求の範囲】
【請求項１】
芯部材に放射状にブラシ毛を取り付けることにより形成されたブラシ部分を軸部に保持せしめたマスカラブラシであって、前記ブラシ部分に、横断面が大略Ｖ字形で、そのＶ字形の角度が２０〜８０゜であり、かつ軸方向に連続する溝状の切り欠きを少なくとも１つ設けたことを特徴とするマスカラブラシ。
【請求項２】
Ｖ字形の角度が、３０〜７０°である請求項１記載のマスカラブラシ。
【請求項３】
溝状の切り欠きが１個所又は２個所設けられた請求項１又は請求項２記載のマスカラブラシ。
【請求項４】
溝状の切り欠きの、底部分のブラシ毛の長さは１ｍｍ以下であり、切り欠き以外の部分のブラシ毛の長さが、２〜５ｍｍである請求項１ないし請求項３の何れかの請求項記載のマスカラブラシ。
【発明の詳細な説明】
【技術分野】
【０００１】
本発明は、睫毛の化粧用のマスカラブラシに関し、更に詳細には、マスカラ液の睫毛への付着ムラを発生させずに、睫毛をボリュームアップすることのできるマスカラブラシに関する。
【背景技術】
【０００２】
マスカラブラシは、マスカラを睫毛に付着させるために使用されるブラシであり、ブラシ毛を芯部材に放射状に取り付け、円筒状等のブラシ部分を形成することにより製造されることが一般的である。そして、この構造如何で、マスカラ液の睫毛への付着量や付着状態が変化するため、目を魅力的に見せるための化粧において、極めて大きな役割を果たすものである。
【０００３】
従来、睫毛にボリューム感をだすためのマスカラブラシとしては、ブラシ毛を長くしたもの、すなわちマスカラブラシのブラシ部分の外径を大きくし、シゴキ径を大きくしたものが考えられる。しかしながら、このようなマスカラブラシでは、確かにボリューム感はアップするものの、マスカラ容器の外径が大きくなり、携帯性が低下するという問題点があった。
【０００４】
また、マスカラブラシの他の形態としては、マスカラブラシのブラシ部分を軸方向に凹状に刈り込むことにより、ブラシ毛の長さを変化させたものが知られている（特許文献１；ブラシ部分の断面では、円の一部を円弧で切り取った形状となる）。このマスカラブラシについては、重厚に塗布可能とされてはいるが、高い睫毛のボリュームアップ効果を充分に得ることはできなかった。
【０００５】
更に、ブラシ部分を製造するに当たって、芯部材に一方のみが短くなるようブラシ毛をセットし、これを捻って放射状に取り付けることにより、短いブラシ毛で構成される溝をブラシ部分中にらせん状に設けたマスカラブラシが知られている（特許文献２）。このマスカラブラシでは、睫毛のボリュームアップ効果はある程度得られるものの、マスカラの睫毛への付着ムラが見られる場合があった。
【０００６】
このため、従来と同様のブラシ毛の長さ（ブラシの外径）でありながら、より高い睫毛のボリュームアップ効果が得られ、また、睫毛へのマスカラ液の付着ムラが起きにくいマスカラブラシが望まれていた。
【特許文献１】特開平９−２３８７４０号公報
【特許文献２】特開２００３−１１１６１６公報
【発明の開示】
【発明が解決しようとする課題】
【０００７】
本発明は、かかる技術背景に鑑みてなされたものであり、その課題は、ブラシ毛の長さを長くすることなく、より高い睫毛のボリュームアップ効果が得られ、また、睫毛へのマスカラ液の付着ムラが起きにくいマスカラブラシを提供することにある。
【課題を解決するための手段】
【０００８】
本発明者らは上記課題を解決すべく鋭意検討を行った結果、マスカラブラシのブラシ部分の軸方向に沿って、断面が略Ｖ字形になる溝状の切り欠きを少数形成することにより、睫毛をボリュームアップさせやすく、しかもマスカラ液の付着ムラも起きにくくなることを見出し本発明に至った。
【０００９】
すなわち本発明は、芯部材に放射状にブラシ毛を取り付けることにより形成されたブラシ部分を軸部に保持せしめたマスカラブラシであって、前記ブラシ部分に、横断面が大略Ｖ字形で、そのＶ字形の角度が２０〜８０゜であり、かつ軸方向に連続する溝状の切り欠きを少なくとも１つ設けたことを特徴とするマスカラブラシを提供するものである。
【発明の効果】
【００１０】
本発明によれば、従来と同様のブラシ毛の長さ（ブラシの外径）でありながら、より高い睫毛のボリュームアップ効果が得られ、また、睫毛へのマスカラ液の付着ムラが起きにくいマスカラブラシを提供することができる。
【発明を実施するための最良の形態】
【００１１】
以下、本発明を図面によって説明する。図１は、本発明のマスカラブラシの一実施態様を示す図面である。図中、１はマスカラブラシ、２は軸部、３は把持部、４はブラシ部分、５は芯部材、６はブラシ毛、７は溝状切り欠きをそれぞれ示す。
【００１２】
マスカラブラシ１は、芯部材５にブラシ毛６を放射状に取り付けたブラシ部分４が、芯部材５の一部を介して軸部２に取り付けられている。また、軸部２のブラシ部分と逆の端部には、把持部３が設けられており、掴みやすくすると共に、マスカラ液の容器（図示せず）の蓋も兼ねている。一方、ブラシ部分４には、大略断面Ｖ字形の溝状切り欠き７が軸方向に連続している。
【００１３】
図２は、ブラシ部分のＡ−Ａ'方向の拡大断面図である。図中、６ａは溝状切り欠き７中のブラシ毛（以下、「短ブラシ毛」という）であり、６ｂは溝状切り欠き７以外の部分のブラシ毛（以下、「長ブラシ毛」という）である。また、図中のθは、溝状切り欠き７のＶ字の角度を示す。
【００１４】
マスカラブラシ１において、長ブラシ毛６ｂの長さは特に限定はないが、２〜５ｍｍが好ましく、２〜４ｍｍが特に好ましい。一方、溝状切り欠き７の底部には、実質的に短ブラシ毛６ａがない状態が好ましいが、ブラシ部分４へのマスカラ液の十分な含みを与えるものであれば短ブラシ毛６ａがあってもよい。この場合、短ブラシ毛６ａの長さは、１ｍｍ以下であることが好ましく、特に０.５ｍｍ以下であることが好ましい。
【００１５】
この短ブラシ毛６ａの長さが１ｍｍより長いと、溝状切り欠き７の断面積が小さくなり、ボリュームアップ効果が得られず、特に粘性の低いマスカラ液の場合には、短ブラシ毛６ａ内にもマスカラ液が入り込み、ほとんどボリュームアップ効果が得られない場合がある。
【００１６】
なお、図２では、溝状切り欠き７は、一定の長さの長ブラシ毛６ｂと一定の長さの短ブラシ毛６ａだけで構成されていたが、溝状切り欠き７の側面部分のブラシ毛６を順次短いブラシ毛から長いブラシ毛へと連続的に変化するようにテーパーをつけて切り欠いても、また段階的に切り欠いてもよい（図示せず）。
【００１７】
溝状切り欠き７における略Ｖ字形の角度、θは２０〜８０°であるが、３０〜７０°であることが好ましい。θが２０°未満だと、溝状切り欠き７にマスカラ液が入り込みにくく、マスカラ液の睫毛への付着量が少なくなってボリュームアップ効果がでない場合がある。一方、８０°より大きいと、溝状切り欠き７に含まれるマスカラ液が多くなりすぎ、睫毛への付着ムラが起こったり、不均一なダマが睫毛に付く場合がある。また、粘性の低いマスカラ液だと、液ダレが起こる場合もある。
【００１８】
上記の溝状切り欠き７は、ブラシ部分４に１個所以上に設けられていることが必須であるが、１〜３個所が好ましく、特に１個所又は２個所設けられていることが好ましい。複数個所に溝状切り欠き７を設ける場合は、軸に対して対称となる位置、例えば、溝状切り欠き７が２箇所の場合は、それらの中心線が軸に対して１８０゜離れた位置となるように、また溝状切り欠き７が３箇所の場合は、それらの中心線が各々１２０゜離れた位置となるように設けることが好ましい。なお、図１及び図２では、θがそれぞれ５０°である溝状切り欠き７を、軸に対して１８０゜離れた位置となるように設けている。
【００１９】
上記態様のマスカラブラシ１では、ブラシ部分４が円柱形であるが、本発明のマスカラブラシにおいては、前記した溝状切り欠き７を少なくとも１個有するものであれば、そのブラシ部分４の形状は特に制約されるののでない。例えば、ブラシ部分４の横断面が、正円ではなく楕円（ブラシ部分は楕円柱形）、略四角形（ブラシ部分は略四角柱形）、略三角形（ブラシ部分は略三角柱形）等としても良い（図示せず）。このような、形状とした場合の、溝状切り欠き７を設ける位置は、特に限定はないが、ブラシ部分の断面が楕円の場合は、楕円の短径方向とすることが好ましい（図示せず）。また、ブラシ部分４の断面が略三角形ないし略四角形の場合は、使用性に合わせて辺方向あるいは頂点方向に設けることができる。（何れも図示せず）。
【００２０】
また、前記態様のマスカラブラシ１では、長ブラシ毛６ｂの長さは、変化なく一定であるが、これに限られるものではない。例えば、ブラシ部分４の先端側は細く、手元側（軸部側）は太い、テーパー状や、中央部に向かって膨出する紡錘状ないし太鼓状とすることもできる（何れも図示せず）。
【００２１】
更に、ブラシ部分４は、真っ直ぐに形成されているものに限定されず、曲がっていても良い。例えば、ブラシ部分全体が円弧を形成するもの、左右に連続する円弧で形成されるもの（蛇行形状のもの）、一部、例えば中央部が円弧を形成するもの等であっても良い（何れも図示せず）。
【００２２】
上記した本発明のマスカラブラシ１は、長ブラシ毛６ｂを芯部材５に放射状に取り付けることによりブラシ部分４を形成し、次いでこのブラシ部分４から溝状切り欠き７が形成されるよう、長ブラシ毛６ｂの一部を切り取ることにより製造される。
【００２３】
マスカラブラシ１の製造において使用されるブラシ毛６の材質は特に限定はなく、例えばナイロン、ポリエステル、獣毛等、一般にマスカラブラシの製造に使用されるものが用いられる。各ブラシ毛６の太さも特に限定はないが、その直径が０．０５〜０．２ｍｍφ程度のものが好ましい。また、芯部材５の材質も特に限定はないが、ブラシ毛６を放射状に取り付けるためには、らせん状にねじる必要があり、かつ、ある程度の強度が要求されるので、ステンレス線、銅線等の金属線が好ましい。この芯部材５の太さも特に限定はないが、１〜２ｍｍφが好ましい。
【００２４】
本発明において、ブラシ部分４に溝状切り欠き７を形成させるためには、ブラシ部分４から長ブラシ毛６ｂの一部を切り取ることが必要であるが、この切り取りには、グラインダー、フライス盤、熱線カッター等の装置を用いることができる。なお、ブラシ毛６を芯部材５に放射状に取り付けて形成されるブラシ部分４は、円筒状になるので、円筒状以外の特殊な形態のブラシ部分４を有するマスカラブラシ１を製造するには、例えば、最初にマスカラブラシの形態が特殊な形となるようブラシ毛６を切り取った後、溝状切り欠き７を切り取ったり、異なる動きを行うことのできる複数の切り取り部を有する装置により、一度に目的とする形状を形成せしめればよい。
【００２５】
以上の本発明マスカラブラシ１は、断面Ｖ字形の溝状切り欠き７がブラシ部分４に存在し、この部分にマスカラ液を溜めることができるため、高い睫毛のボリュームアップ効果が得られる。また、この溝状切り欠き７以外の長ブラシ毛６ｂが、睫毛を均一にくしけずることができるため、睫毛へのマスカラ液の付着ムラが起きにくくなる。
【実施例】
【００２６】
次に、実施例を挙げて本発明を更に説明するが、本発明はこれら実施例に限定されるものではない。
【００２７】
実 施 例  
マスカラブラシの調製：
種々の角度で断面Ｖ字形の溝状切り欠きを形成した、円柱状のブラシ部分を有するマスカラブラシ（番号１〜７、９）を調製し、その断面Ｖ字形の角度と、マスカラ塗布時の使用性の関係を調べた。使用したマスカラブラシのブラシ部分の全長は２６ｍｍ、芯部材５の直径１．３５ｍｍ、長ブラシ毛６ｂの長さ２．６ｍｍとした。溝状切り欠きは、グラインダーを用いて、表１に示した角度θと短ブラシ毛６ａの長さとなるように、長ブラシ毛６ｂを削り取ることによりおこなった。なお、比較として、特開２００３−１１１６１６公報（特許文献２）中の図２に示されたマスカラブラシを、同文献に記載の方法で製造したものを用いた（番号８）。
【００２８】
マスカラブラシの評価：
３０℃での稠度値が、それぞれ１９０、２２０、２５０となる高粘性から低粘性までの３種のマスカラ液を調製し、マスカラ用容器に充填した。これらのマスカラ液を、番号１〜９のマスカラブラシ各３個を用いて塗布試験を行い、評価を行った。ここで稠度値は、ＪＩＳ−Ｋ２５２４に準拠し、稠度計として３０ｇ２号アルミニウムコーンを使用して測定した。評価は、専門評価者に以下の判定基準に従い、評価をしてもらった。結果を表１に示す。
【００２９】
＜判定基準＞
［ブラシへのマスカラ液の含み］
◎ ： ３種の粘性のマスカラ液全てにおいて、適量の範囲内である
○ ： マスカラ液の粘性により、やや少ない場合があったりやや多い場合がある
△ ： マスカラ液の粘性により、少なすぎる場合があったり多すぎる場合がある
× ： ３種の粘性のマスカラ液全てにおいて、少なすぎるか多すぎる
【００３０】
［ブラシからのマスカラ液の液だれ］
◎ ： ３種の粘性のマスカラ液全てにおいて、なし
○ ： マスカラ液の粘性により、やや発生する場合がある
△ ： マスカラ液の粘性により、発生する場合がある
× ： ３種の粘性のマスカラ液全てにおいて、発生する
【００３１】
［睫毛へのマスカラ液の付着ムラ］
◎ ： ３種の粘性のマスカラ液全てにおいて、なし
○ ： マスカラ液の粘性により、やや発生する場合がある
△ ： マスカラ液の粘性により、発生する場合がある
× ： ３種の粘性のマスカラ液全てにおいて、発生する
【００３２】
［睫毛のボリュームアップ効果］
◎ ： ３種の粘性のマスカラ液全てにおいて、効果あり
○ ： 効果がやや少ない場合がある
△ ： 効果が少ない場合がある
× ： 効果がなかったり、ダマになりボリュームアップしない
【００３３】
【表１】
2006061483.tif 000003
【００３４】
表１中、判定が◎でなかったものについては、以下の通りであった。
（注１） θが小さいので、溝状切り欠きにマスカラ液が入り込みにくく、液含みが少なかった。
（注２） マスカラ液の粘性が高い場合に、溝状切り欠きにマスカラ液が入り込みにくく、液含みがやや少なかった。
（注３）θが大きいため、マスカラ液が広い溝状切り欠きに入り込み、液含みが多すぎた。
（注４） 軸部材に対して垂直断面を見ると、切り欠き部分には長さ２．０ｍｍの短ブラシ毛６ａがあるため、切り欠き部分の断面積が小さく、液含みが少なかった。
（注５） 粘性の低いマスカラ液において、溝状切り欠きに入ったマスカラ液がやや液だれした。
（注６） θが大きく、マスカラ液の含みが多すぎるため、粘性の低いマスカラ液において、溝状切り欠きに入ったマスカラ液が液だれした。
（注７） マスカラ液の含みが多すぎ、上記３種粘性のマスカラ液の何れでも付着ムラが発生した。長ブラシ毛部分を使用しても付着ムラは解消しなかった。
（注８） 長短の毛束がらせん状になっているおり、使用時にブラシを睫毛から離すときに、短い毛束の部分から離れる睫毛と長い毛束の部分から離れる睫毛の２種類があるため、睫毛へのマスカラ液の付着が均一とならず、使用方法によっては付着ムラが発生する場合があった。
（注９） 溝状切り欠きへのマスカラ液の含みが少なすぎ、マスカラ液の睫毛への付着量も少なく、ボリュームアップ効果が得られなかった。
（注１０） 溝状切り欠きへのマスカラ液の含みが多すぎ、睫毛への付着ムラが発生して不均一なダマになるため、睫毛全体のボリュームアップ効果が得られなかった。
（注１１） 溝状切り欠きへのマスカラ液の含みが少なすぎ、睫毛全体のボリュームアップ効果が少なかった。
【００３５】
本発明のマスカラブラシは、評価した何れの稠度のマスカラ液においても、ブラシへのマスカラ液の含み量が好適で、ブラシからのマスカラ液の液だれ、睫毛へのマスカラ液の付着ムラがなく、睫毛のボリュームアップ効果が高かった。
【産業上の利用可能性】
【００３６】
本発明のマスカラブラシは、従来のものとほぼ同じブラシ毛の長さでありながら、より高い睫毛のボリュームアップ効果が得られるものである。また、睫毛を均一にくしけずることができるため、睫毛へのマスカラ液の付着ムラが起きにくいものである
【００３７】
従って、本発明のマスカラブラシは、マスカラ容器の外径を大きくすることなく、従来のマスカラブラシに代わって広く用いられ得るものである。
【図面の簡単な説明】
【００３８】
【図１】本発明マスカラブラシの一態様を示す図面である。
【図２】図１のＡ−Ａ'方向の断面を示す図面である。
【符号の説明】
【００３９】
１……マスカラブラシ
２……軸部
３……把持部
４……ブラシ部分
５……芯部材
６……ブラシ毛
６ａ……短ブラシ毛
６ｂ……長ブラシ毛
７……溝状切り欠き
以  上
【図１】
2006061483.tif 000004
【図２】
2006061483.tif 000005